【事件の表示】
　上記当事者間の登録第５６２１４２１号商標の商標登録無効審判事件について、次のとおり審決する。
【結　論】
　本件審判の請求は、成り立たない。
　審判費用は、請求人の負担とする。
【理　由】
第１　本件商標
　本件登録第５６２１４２１号商標（以下「本件商標」という。）は，「ＭＣフードスペシャリティーズ」の文字を標準文字で表してなり，平成２５年５月８日に登録出願，同年９月２４日に登録査定，第１類「工業用食肉軟化剤，食品用安定剤（ホイップクリーム用安定剤を除く。），食品用増粘剤，食品用乳化剤，食品酸化防止剤，防カビ剤，化学用酵素，食品鮮度保持及び保存用化学品，活性炭，ろ過清澄剤，食物保存剤，カルシウム塩，レシチン（原料に限る。），可塑剤，たんぱく質加水分解物（原料），食品工業用たんぱく質加水分解物，食品加工用酵素，工業用酵素，微生物由来の発酵多糖類，食品添加用又は食品充填用のたんぱく加水分解物，老化防止剤，キレート剤，食品用品質改良剤（医療用のものを除く。），食品添加物として用いられる化学品，その他の化学品，人工甘味料，工業用粉類，ラクトース（原料），ラクトース（食品工業用添加物）」，第５類「台所用除菌剤，アルコール製剤，薬剤，カプセル，サプリメント，医薬用ラクトース，乳幼児用粉乳，栄養補助用飼料添加物（薬剤に属するものを除く。）」，第２９類「食用油脂，肉エキス，食用ゼラチン，その他の肉製品，加工水産物，乾燥野菜，乾燥果実，食用野菜エキス，その他の加工野菜及び加工果実，卵白，卵黄，粉末卵，その他の加工卵，即席スープ，カレー・シチュー又はスープのもと，スープ，お茶漬けのもと，ふりかけ，食用たんぱく」，第３０類「ソーセージ用結着剤，微生物由来の発酵多糖類を主原料とする食材調理用増粘剤，アイスクリーム用凝固剤，家庭用食肉軟化剤，ホイップクリーム用安定剤，精油以外の飲料用香味料，精油以外の食品用香味料，食品香料（精油のものを除く。），菓子，パン，サンドイッチ，中華まんじゅう，ハンバーガー，ピザ，ホットドッグ，ミートパイ，うま味調味料，肉エキス・魚介エキス又は野菜エキスを含んだ調味料，味醂を原材料とする調味料，焼酎を原材料とする調味料，清酒を原材料とする調味料，日本酒を原材料とする調味料，ワインを原材料とする調味料，たんぱく加水分解物を原材料とする調味料，みそ，ウスターソース，グレービーソース，ケチャップソース，しょうゆ，食酢，酢の素，そばつゆ，ドレッシング，トマトソース，ホワイトソース，マヨネーズソース，焼肉のたれ，角砂糖，果糖，氷砂糖，砂糖，麦芽糖，はちみつ，ぶどう糖，粉末あめ，水あめ，食用糖みつ，天然甘味料，その他の調味料，穀物の加工品，冷凍パン生地，雑炊，おかゆ，イーストパウダー，こうじ，錠剤状の酵母（医療用のものを除く。），ペースト発酵用の酵母，酵母エキス，その他の酵母，ベーキングパウダー，食用麦芽エキス，即席菓子のもと，プレミックス粉，菓子用粉，食用でんぷん，大豆粉，その他の食用粉類」，第３１類「海藻類，野菜，果実，コプラ，あわ，きび，ごま，そば，とうもろこし，ひえ，麦，籾米，もろこし，飼料用たんぱく，飼料，飼料用添加物（医療用及び栄養補助用のものを除く。），飼料用酵母」，第３３類「しょうちゅう，みりん，その他の日本酒，洋酒，料理用洋酒，果実酒，料理用果実酒，酎ハイ，中国酒，薬味酒」，第３５類「飲食料品の小売又は卸売の業務において行われる顧客に対する便益の提供」，第４２類「医薬品・化粧品又は食品の試験・検査又は研究」及び第４３類「飲食物の提供」を指定商品及び指定役務として，同年１０月１１日に設定登録されたものである。
　
第２　引用商標
　請求人が引用する登録商標は，以下の１ないし４に示すとおりであり，これらの商標権は，いずれも現に有効に存続しているものである。
１　登録第８１９０３６号の１の２商標（以下「引用商標１」という。）
商　　　標：別掲１のとおり
登録出願日：昭和４２年５月３０日
設定登録日：昭和４４年５月３１日
指定商品　：第２９類「加工野菜及び加工果実」（平成２１年７月１日に登録された指定商品の書換登録後のもの。）
２　登録第２１８８７１３号商標（以下「引用商標２」という。）
商　　　標：別掲２のとおり
登録出願日：昭和４６年４月１２日
設定登録日：平成元年１１月２８日
指定商品　：第２９類「肉製品」及び第３０類「サンドイッチ，べんとう」（平成２１年７月２２日に登録された指定商品の書換登録後のもの。）
３　登録第２３３９７４７号商標（以下「引用商標３」という。）
商　　　標：別掲３のとおり
登録出願日：平成元年６月１４日
設定登録日：平成３年９月３０日
指定商品　：第１類「人工甘味料」，第２９類「食用油脂，乳製品」，第３０類「みそ，ウースターソース，ケチャップソース，しょうゆ，食酢，酢の素，そばつゆ，ドレッシング，ホワイトソース，マヨネーズソース，焼肉のたれ，角砂糖，果糖，氷砂糖（調味料），砂糖，麦芽糖，はちみつ，ぶどう糖，粉末あめ，水あめ（調味料），ごま塩，食塩，すりごま，セロリ−ソルト，化学調味料，香辛料，アイスクリームのもと，シャーベットのもと」及び第３２類「ビール製造用ホップエキス，乳清飲料」（平成１５年４月２日に登録された指定商品の書換登録後のもの。）
４　登録第２６９１１１７号商標（以下「引用商標４」という。）
商　　　標：別掲３のとおり
登録出願日：平成元年６月１４日
設定登録日：平成６年８月３１日
指定商品　：第２９類「食肉，卵，食用魚介類（生きているものを除く。），肉製品，加工野菜及び加工果実，カレー・シチュー又はスープのもと」及び第３２類「飲料用野菜ジュース」（平成１７年１０月１２日に登録された指定商品の書換登録後のもの。）
　なお，上記引用商標１ないし引用商標４をまとめていうときは，以下「引用商標」という。
　
第３　請求人の主張
　請求人は，本件商標の登録を無効とする，審判費用は被請求人の負担とする，との審決を求め，その理由を要旨以下のように述べ，証拠方法として，甲第１号証ないし甲第５号証を提出した。
１　商標法第４条第１項第１１号について
（１）本件商標
　本件商標は，前記第１のとおり，「ＭＣフードスペシャリティーズ」の文字を標準文字で表してなるところ，該欧文字から生じる称呼は，「エムシーフードスペシャルティーズ」又は「マックフードスペシャルティーズ」であって，１４音又は１３音という極めて長い称呼であるから，簡易迅速を旨とする通常の取引においては，本件商標は，その構成中，「ＭＣ」と「フードスペシャリティーズ」又は「ＭＣフード」と「スペシャリティーズ」の２つの部分に分けて称呼されるものである。
　そうすると，上記２つの部分に分けて称呼される場合において，前者のときは，「ＭＣ」の部分から「エムシー」又は「マック」の称呼を生じ，また，後者のときは，本件商標の指定商品及び指定役務である食品に関連する分野では「フード」の語が単に食品を意味する普通名称であることから，「ＭＣフード」の要部は「ＭＣ」となり，これより「エムシー」又は「マック」の称呼を生じる。
（２）請求人を含めたマクドナルドグループのビジネス及びその商品を表す「マクドナルド」及び「マック」の商標及び称呼は，いずれもマクドナルドの商品及び役務を意味するものとして，日本において周知，著名となっている。
　また，請求人は，日本において，引用商標に加え，「ＭＣ」，「Ｍｃ」，「ＭＡＣ」，「Ｍａｃ」，「マック」等の文字を要部とする多数の商標登録を得ている。
（３）本件商標は，上記（１）のとおり，その構成中の要部である「ＭＣ」の部分から「マック」の称呼も生じるものであり，また，本件商標の指定商品及び指定役務のうち，第１類，第２９類，第３０類及び第３５類の指定商品及び指定役務は，引用商標の指定商品と抵触している。
　したがって，本件商標は，引用商標と称呼及び外観において類似するものであり，かつ，本件商標の指定商品及び指定役務中，第１類，第２９類，第３０類及び第３５類の指定商品及び指定役務は，引用商標の指定商品と同一又は類似するものであるから，本件商標は，当該指定商品及び指定役務の範囲においては，商標法第４条第１項第１１号に違反して登録されたものである。
２　商標法第４条第１項第１０号及び同第１５号について
　請求人は，引用商標に加え，語頭部に「Ｍｃ」，「ＭＡＣ」，「Ｍａｃ」，「マック」等の語を有する多数の商標登録を有しており（以下，これらの商標及び引用商標をまとめて「マック・ファミリー商標」という。），マクドナルドがそのビジネスの遂行に関して多数のマック・ファミリー商標を使用していることは，周知著名となっている。
　また，上記マック・ファミリー商標は，「マクドナルド」及びそれを短縮した「マック」の商標の著名性とあいまって，マクドナルドの商品及び業務に使用される商標を意味するものとして，需要者の間において広く知られている。
　他方，本件商標は，「ＭＣ」をその語頭部に有しており，その後部に「フードスペシャリティーズ」が配置されているところ，「フードスペシャリティーズ」は，「特別な食品」あるいは「専門の食品」という意味を有する言葉であって，それ自体は識別力を有しないか又は識別力の極めて弱い言葉であるため，本件商標は，需要者間において，マック・ファミリー商標の一部であるとの誤認を生じさせるおそれの極めて強いものである。
　したがって，本件商標は，その指定商品及び指定役務のうち，マック・ファミリー商標が使用されている第２９類，第３０類及び第３１類の指定商品並びに第３５類及び第４３類の指定役務との関係においては，商標法第４条第１項第１０号に違反して登録されたものであり，同じく，第１類，第５類及び第３３類の指定商品並びに第４２類の指定役務との関係においては，同法第４条第１項第１５号に違反して登録されたものである。
３　まとめ
　以上のとおり，本件商標は，商標法第４条第１項第１０号，同第１１号及び同第１５号に違反して登録されたものであり，同法第４６条第１項の規定により，その登録を無効とすべきものである。
　
第４　被請求人の答弁
　被請求人は，結論同旨の審決を求めると答弁し，その理由を要旨次のように述べ，証拠方法として，乙第１号証ないし乙第３４号証を提出した。
１　商標法第４条第１項第１１号について
（１）本件商標の構成中の「ＭＣ」の欧文字部分から生じる称呼
　ア　請求人は，本件商標の構成中の「ＭＣ」の欧文字部分から「エムシー」又は「マック」の称呼を生ずると主張しているが，その根拠について，何ら説明も立証もしていない。
　本件商標の構成中の「ＭＣ」の欧文字部分のように欧文字の大文字２字からなる言葉は，例えば，「ＰＣ」（Ｐｅｒｓｏｎａｌ　Ｃｏｍｐｕｔｅｒ＝パーソナルコンピュータ），「ＣＤ」（Ｃｏｍｐａｃｔ　Ｄｉｓｃ＝コンパクトディスク），「ＩＴ」（Ｉｎｆｏｒｍａｔｉｏｎ　Ｔｅｃｈｎｏｌｏｇｙ＝情報技術），「ＪＲ」（Ｊａｐａｎ　Ｒａｉｌｗａｙに由来）など，日常において多数存在し，一定の言葉の略語として，それぞれ「ＰＣ」は「ピーシー」，「ＣＤ」は「シーディー」，「ＩＴ」は「アイティー」と，アルファベット読みされるのが通常である。
　したがって，本件商標の構成中の「ＭＣ」という大文字２字は，「エムシー」と読むとみるのが自然である。
　イ　被請求人は，「商標出願・登録情報検索」（ＩＰＤＬ）を用いて，飲食料品あるいは飲食物の提供の分野において登録された「ＭＣ」商標を検索した結果，複数の登録商標（乙３ないし乙９）を確認したところ，これらには，特殊事情があると推測されるものを除き，いずれも「エムシー」又は「エムシイ」の称呼が付されていることから，大文字で表記されている「ＭＣ」の欧文字からは「エムシー」の称呼のみを生ずることは明白である。
　さらに，被請求人は，ＩＰＤＬを用いて，商品分野を問わずに，大文字で表記される「ＭＣ」の欧文字の後に仮名文字が位置する商標を検索したところ，いずれの登録商標についても，大文字で表記されている「ＭＣ」の欧文字部分には「エムシー」又は「エムシイ」の称呼のみが付されており，「マック」の称呼が付されているものは確認できなかった。
　ウ　請求人が提出した本件商標に係るＩＰＤＬの結果（甲１）によれば，本件商標の構成中の「ＭＣ」の欧文字部分は，明らかに「エムシイ」の称呼を生ずるものである。
　また，被請求人は，平成２５年６月１０日付けプレスリリース（乙２１）をもって，平成２６年１月１日に，商号を「キリン協和フーズ株式会社」から「ＭＣフードスペシャリティーズ株式会社」へ変更する旨発表しているところ，その際に，新商号の「ＭＣ」の文字部分に「エムシー」の振り仮名が付されていることから，被請求人において，自らの商号を「エムシーフードスペシャリティーズカブシキカイシャ」と読ませる意図を有していることは明白であり，さらに，乙第２２号証ないし乙第２９号証に示す名簿等における掲載順によれば，被請求人の商号が，第三者によっても，正しく「エムシーフードスペシャリティーズカブシキカイシャ」と読まれていることは明らかである。
　そして，本件商標は，被請求人の商号である「ＭＣフードスペシャリティーズ株式会社」のうち，法人の種類を意味する「株式会社」の部分を省略したものであるから，その構成全体として，「エムシーフードスペシャリティーズ」の称呼を生じるものである。
　エ　「マック」と称呼される英単語は，スコットランド又はアイルランド系の人名の前について「ｓｏｎ　ｏｆ」の意を表す接頭語の「Ｍａｃ−」であり，この接頭語を略記するときは，「Ｍｃ−」，「Ｍｃ」（「ｃ」の文字部分は，いわゆる上付き文字で表されている。），「Ｍ’−」又は「Ｍ‘−」とされている（乙３０）。
　そうすると，接頭語「Ｍａｃ−」を略す場合，２字とも大文字で表記される「ＭＣ」として表記することはない。
　なお，「ＭＣＢｏｏｋ」という商標につき，その構成中の「ＭＣ」の文字部分からは「エムシイ」の称呼を生ずると認定した異議決定がある（乙３２）。
　オ　上記アないしエにおいて述べたとおり，本件商標の構成中の「ＭＣ」の欧文字部分は，２文字とも大文字で表記されているため，常に「エムシー」と称呼されるものであって，「マック」の称呼を生じることはあり得ない。
　なお，請求人は，本件商標が「ＭＣ　Ｆｏｏｄ」と「Ｓｐｅｃｉａｌｔｉｅｓ」に分離された場合，前者の要部は「ＭＣ」となり，「エムシー」又は「マック」の称呼を生じる旨主張するが，請求人が提出した本件商標に係るＩＰＤＬの結果（甲１）には，「エムシイ」又は「エムシー」の称呼は記載されていない。
（２）本件商標と引用商標との類否
　ア　本件商標と引用商標１及び引用商標２との類否
　本件商標は，その構成全体から「エムシイフードスペシャリティーズ」の称呼を生じるものであり，また，甲第１号証によれば，「フードスペシャリティーズ」又は「スペシャリティーズ」の称呼をも生じるものである。
　他方，引用商標１及び引用商標２は，それぞれ別掲１及び別掲２に示すとおりの構成からなり，いずれからも「マック」の称呼を生じるものである。
　そして，本件商標から生じ得る「エムシイフードスペシャリティーズ」，「フードスペシャリティーズ」又は「スペシャリティーズ」の称呼と引用商標１及び引用商標２から生じる「マック」の称呼とを比較するに，両称呼は，何ら共通点がなく，称呼上，彼此相紛れるおそれがないことは明白である。
　また，本件商標と引用商標１及び引用商標２とは，外観において，その構成文字や構成文字数の相違等により，明確に相違するものであり，さらに，観念においても同様である。
　したがって，指定商品の類否を論ずるまでもなく，本件商標は，引用商標１及び引用商標２とは，明らかに非類似の商標である。
　イ　本件商標と引用商標３及び引用商標４との類否
　引用商標３及び引用商標４は，別掲３に示すとおり，いずれも図形化した「Ｍ」の文字の右横に「ｃ」の欧文字を配してなるものであるところ，上記（１）イにおいて言及した「ＭＣ」図形からなる登録商標のうち，商標登録第４４２３５３５号（乙４）に係る第２９類及び第３０類の指定商品並びに同第５４１９２４７号（乙８）に係る第３類及び第２９類の指定商品は，引用商標３及び引用商標４に係る指定商品と類似関係にあり，また，同第５１６２７６３号（乙６）に係る第３２類の指定商品も，引用商標３に係る指定商品と類似関係にある。
　しかしながら，引用商標３及び引用商標４を含む上記各登録商標が併存している理由は，これらが「ＭＣ」，「Ｍｃ」又は「ｍｃ」の文字的要素を共通にするとはいえ，いずれも図案化されており，その図形的要素が相紛れるおそれのない非類似のものであるゆえにほかならない。
　言い換えれば，引用商標３及び引用商標４は，いずれも図案化された「Ｍ」の欧文字部分に特徴を有する図形商標としてみるべきものであるから，図形化されていない標準文字で表されている本件商標の構成中の「ＭＣ」の欧文字部分には，その類似範囲が及ばないことは明白である。
２　商標法第４条第１項第１０号及び同第１５号について
（１）請求人は，本件商標の構成中の「フードスペシャリティーズ」の文字部分が「特別な食品」あるいは「専門の食品」という意味を有するものであって，識別力を有しないか又は識別力が弱い旨主張するが，その根拠について，何ら説明も立証もしていない。
　「スペシャリティーズ」の語は，「特色，特性，特別事項，専門専攻，名産，自慢の品」等の様々な意味を有する英単語「ｓｐｅｃｉａｌｔｙ」の複数形に相当するものであるため，これを「Ｆｏｏｄ」の語と組み合わせた場合においても，様々な意味合いを生じることになるところ，そのいずれの意味合いも，本件商標の指定商品及び指定役務との関係において，直ちに具体的な商品の品質又は役務の質を記述するものではない。
　したがって，請求人による上記主張は，明らかに失当である。
（２）請求人は，「マック・ファミリー商標」なるものが周知であることを何ら立証していないが，これが周知であるか否かに関わらず，本件商標から「マック」の称呼が生じる余地はないので，本件商標が「マック・ファミリー商標」なるものと誤認混同を生ずるおそれは皆無である。
　したがって，本件商標は，商標法第４条第１項第１０号及び同第１５号のいずれにも該当しない。
（３）被請求人は，三菱商事株式会社のグループ企業の一つであり（乙３４），その証として，同社の英語表記「Ｍｉｔｓｕｂｉｓｈｉ　Ｃｏｒｐｏｒａｔｉｏｎ」の頭文字である「ＭＣ」の欧文字を社名に冠している。本件商標の構成中の「ＭＣ」の文字は，上記頭文字である。
　三菱商事株式会社は，長い歴史を有し，約９０か国に２００を超える拠点と６００社を超える連結対象会社を有する総合商社であり，その企業集団が様々な業種に及んでいることは周知のとおりであることから，本件商標の構成中の「ＭＣ」の欧文字部分から何らかの意味合いが想起，連想されるとすれば，それは，マクドナルドではなく，むしろ三菱商事グループである。
　したがって，この点からも，本件商標は，「マック・ファミリー商標」の一部であるかのように誤認されることはなく，それと出所の混同を生ずるおそれはない。
（４）請求人の主たる業務は，独自の店舗において，一般消費者にハンバーガー等のいわゆるファーストフードを販売又は提供するフランチャイズ事業の運営であり，請求人の商標を使用する商品及び役務の販売及び提供先は，個人たる一般消費者であって，販売場所も請求人が展開する独自の店舗内である。
　これに対して，被請求人の主たる業務は，一般消費者への商品及び役務の販売及び提供ではなく，食品製造業者等の企業に対して，食品製造に必要な調味料又は各種食品素材等を提供する企業間取引となっている（乙３４）。
　したがって，実際の取引過程において，被請求人の商品と請求人の商品との間で需要者が一致することはなく，よって，この点からも，本件商標は，請求人の業務に係る商標と出所の混同を生ずるおそれは皆無といえる。
３　まとめ
　以上のとおり，本件商標は，引用商標と非類似の商標であるから，商標法第４条第１項第１１号に該当しないものであり，また，本件商標は，「マック・ファミリー商標」と出所の混同を生ずるおそれがないものであるから，同第１０号及び同第１５号にも該当しないものである。
　
第５　当審の判断　
１　商標法第４条第１項第１１号該当性について
（１）本件商標
　本件商標は，前記第１のとおり，「ＭＣフードスペシャリティーズ」の文字を標準文字で表してなるところ，該欧文字は，同じ書体及び大きさをもって表されているものであって，視覚上，まとまりよく一体的に看取，把握し得るものであり，また，その構成全体から生じる「エムシーフードスペシャリティーズ」の称呼も，格別冗長というべきものではなく，よどみなく一連に称呼できるものである。
　そして，本件商標の構成中，「フード」の欧文字は，「（人間の）食物，食糧」等の意味を有する外来語（広辞苑第六版：株式会社岩波書店），同じく，「スペシャリティーズ」の片仮名は，「特殊性，特質，専門」等の意味を有する英語「ｓｐｅｃｉａｌｔｙ」の複数形を表したもの（「＜コンパクト版＞小学館　プログレッシブ英和中辞典（第２版）」：株式会社小学館）と認められる一方，本件商標の構成中の「ＭＣ」の欧文字は，略語等としての多様な用例があることから，特定の意味を有する語とはいい難い。
　してみれば，本件商標は，その構成全体に相応して，「エムシーフードスペシャリティーズ」の称呼のみを生じ，特定の観念を生じることのないものである。
（２）引用商標
　ア　引用商標１
　引用商標１は，別掲１のとおり，同じ書体及び大きさで「マツク」と横書きしてなるものところ，該文字は，辞書類に載録された成語とは認められず，また，特定の意味合いを想起させる語として一般に広く知られたものとも認められない。
　したがって，引用商標１は，「マツク」の称呼を生じ，特定の観念を生じることのないものである。
　イ　引用商標２
　引用商標２は，別掲２のとおり，「マック」の片仮名と「Ｍａｃ」の欧文字とを上下二段に表してなるところ，該各文字の構成及び配置に照らせば，上段の片仮名部分は，下段の欧文字部分の読みを表したものとして看取，理解され得るものである。
　そして，引用商標２の構成中，「Ｍａｃ」の欧文字は，英語の男性名を表す語，スコットランド又はアイルランド系の人名（姓）の前に付いて「ｓｏｎ　ｏｆ」の意味を表す語のほか，略語等としても用いられるもの（乙３１）であることからすれば，特定の意味を有する語とはいい難い。
　してみれば，引用商標２は，「マック」の称呼を生じ，特定の観念を生じることのないものである。
　ウ　引用商標３及び引用商標４
　引用商標３及び引用商標４は，別掲３のとおり，大きく顕著に表してなるロゴ化された「Ｍ」の欧文字と，その右下方に，該欧文字の略４分の１の大きさで，かつ，サンセリフ（ｓａｎ　ｓｅｒｉｆ）の書体で表された「ｃ」の欧文字を配してなるところ，その構成中，ロゴ化された「Ｍ」の欧文字部分は，請求人及びそのグループ企業が，長年にわたり，我が国を含む各国において，自己の業務に係る商品及び役務について使用している商標と同一のものといえる。
　また，請求人は，我が国において，例えば，「ＭｃＢＵＧＥＲ」，「ＭｃＳＨＡＫＥ」，「ＭｃＬＵＮＣＨ」，「ＭｃＣＡＦＥ」の各登録商標を所有しているところ，これらの商標に係る商品又は役務の取引に際し，「マックバーガー」，「マックシェイク」，「マックランチ」，「マックカフェ」と称呼している。
　これらを踏まえれば，引用商標３及び引用商標４は，「エムシー」の称呼を生じるほか，「マック」の称呼をも生じ，「（請求人及びそのグループ企業としての）マクドナルド並びにその商品及び役務」程の観念を生じるものである。
（３）本件商標と引用商標との類否
　本件商標と引用商標とは，それぞれ上記（１）及び（２）のとおりの構成態様からなるところ，両商標は，外観上，明らかな差異を有するものであり，明確に区別できるものである。
　また，本件商標から生じる「エムシーフードスペシャリティーズ」の称呼と引用商標から生じる「マツク」，「マック」又は「エムシー」の称呼とは，その音構成及び構成音数が明らかに相違するものであるから，両商標は，称呼上，明確に区別できるものである。
　さらに，本件商標と引用商標１及び引用商標２とは，いずれも特定の観念を生じることのないものであるから，観念上，類似することはなく，また，本件商標と引用商標３及び引用商標４とは，前者が特定の観念を生じることのないものであるのに対し，後者は「（請求人及びそのグループ企業としての）マクドナルド並びにその商品及び役務」程の観念を生じるものであるから，観念上，互いに紛れるおそれはない。
　してみれば，本件商標と引用商標とは，外観，称呼及び観念のいずれにおいても相紛れるおそれのない非類似の商標である。
　したがって，本件商標は，商標法第４条第１項第１１号に該当しない。
２　商標法第４条第１項第１０号及び同第１５号該当性について
　本件商標と引用商標とは，たとえ，引用商標が本件商標の登録出願時及び登録査定時において，請求人の業務に係る商品及び役務を表示する商標として，取引者，需要者の間に広く認識されていたとしても，上記１のとおり，非類似の商標であって，十分に区別し得る別異の商標というべきものであり，その他，請求人の主張及び同人の提出に係る甲各号証を総合してみても，本件商標をその指定商品又は指定役務について使用した場合，商品又は役務の出所について混同を生ずるおそれがあるとすべき特段の事情も見いだせない。
　そうとすれば，商標権者が本件商標をその指定商品及び指定役務に使用しても，これに接する取引者，需要者が請求人の商標を想起，連想することはないというのが相当であるから，本件商標は，請求人又は同人と経済的若しくは組織的に何らかの関係がある者の業務に係る商品又は役務であるかのように，その商品又は役務の出所について混同を生じさせるおそれはないものである。
　したがって，本件商標は，商標法第４条第１項第１０号及び同第１５号に該当しない。
３　まとめ
　以上のとおり，本件商標の登録は，商標法第４条第１項第１０号，同第１１号及び同第１５号に違反してされたものとは認められないから，同法第４６条第１項の規定により，無効とすることができない。
　よって，結論のとおり審決する。